(57)【要約】【課題】高品質の印刷物が得られる印刷用の画像データを生成する画像処理装置および画像処理プログラムを提供する。【解決手段】ＲＩＰ１０からの画像データおよび制御コマンドを通信インターフェース部２２で受信し、バッファ制御部２４を介して画像バッファ２３に格納し、画像処理部２５を構成する倍率補正部２５＿１で画像上の座標と倍率との対応が記述されたルックアップテーブルを参照して画像上の各点の倍率を補正し階調補正部２５＿２で階調補正処理を行なって通信インターフェース部２６を経由してプリンタ３０に送信する。【選択図】        図２
2004192414.tif 000002
【特許請求の範囲】
【請求項１】
画像データを受信する画像受信部と、
前記画像受信部で受信された画像データに画像処理を施す画像処理部と、
前記画像処理部で画像処理が施された後の画像データを両面印刷自在なプリンタに向けて送信する画像送信部とを備え、
前記画像処理部は、前記プリンタでの印刷に用いられる印刷用紙の両面に印刷した場合における該印刷用紙両面の画像の各点の倍率が該両面の画像相互に同一の倍率となるように、該印刷用紙の第１面および第２面のうちの少なくとも一方の面に印刷される予定の画像を表わす画像データに該画像上の各点の倍率を補正する倍率補正処理を施す倍率補正部を含むものであることを特徴とする画像処理装置。
【請求項２】
前記倍率補正部は、画像上の座標と倍率との対応が記述されたルックアップテーブルを有し、画像上の各点の倍率を、該ルックアップテーブルを参照して求められる各倍率だけ補正するものであることを特徴とする請求項１記載の画像処理装置。
【請求項３】
前記ルックアップテーブルは、画像上の縦方向および横方向の二次元的な座標と、縦方向および横方向の二次元的な倍率との対応が記述された二次元ルックアップテーブルであって、前記倍率補正部は、画像上の、二次元的な各座標で表わされる各点の倍率を、該ルックアップテーブルを参照して求められる二次元的な各倍率だけ補正するものであることを特徴とする請求項２記載の画像処理装置。
【請求項４】
前記ルックアップテーブルは、画像上の縦方向の座標と横方向の倍率との対応が記述された第１の一次元ルックアップテーブルと、画像上の横方向の座標と縦方向の倍率との対応が記述された第２の一次元ルックアップテーブルとからなるものであって、前記倍率補正部は、画像上の縦方向の各座標の横方向の倍率を前記第１のルックアップテーブルを参照して求められる各倍率だけ補正するとともに、画像上の横方向の各座標の縦方向の倍率を前記第２のルックアップテーブルを参照して求められる各倍率だけ補正するものであることを特徴とする請求項２記載の画像処理装置。
【請求項５】
前記倍率補正部は、前記画像上の各点の倍率を、前記ルックアップテーブルを参照して求められる各倍率が、前記プリンタでの印刷用として予定されている記録用紙の種類／材質に応じた補正係数で補正されてなる各倍率だけ補正するものであることを特徴とする請求項２記載の画像処理装置。
【請求項６】
前記ルックアップテーブルは、記録用紙の種類に応じたルックアップテーブルであり、前記倍率補正部は、前記画像上の各点の倍率を、前記プリンタでの印刷用として予定されている記録用紙の厚さ及び／又は材質に応じたルックアップテーブルを参照して求められる各倍率だけ補正するものであることを特徴とする請求項２記載の画像処理装置。
【請求項７】
片面印刷と両面印刷との別を取得する印刷態様取得部を備え、
前記倍率補正部は、前記印刷態様取得部において両面印刷であることが取得された場合に、前記倍率補正処理を施すものであることを特徴とする請求項２記載の画像処理装置。
【請求項８】
プログラムを実行する情報処理装置内で実行され、該情報処理装置を、
画像データを受信する画像受信部と、
前記画像受信部で受信された画像データに画像処理を施す画像処理部と、
前記画像処理部で画像処理が施された後の画像データを両面印刷自在なプリンタに向けて送信する画像送信部とを備え、
前記画像処理部が、前記プリンタでの印刷に用いられる印刷用紙の両面に印刷した場合における該印刷用紙両面の画像の各点の倍率が該両面の画像相互に同一の倍率となるように、該印刷用紙の第１面および第２面のうちの少なくとも一方の面に印刷される予定の画像を表わす画像データに該画像上の各点の倍率を補正する倍率補正処理を施す倍率補正部を含むものである画像処理装置として動作させることを特徴とする画像処理プログラム。
【発明の詳細な説明】
【０００１】
【発明の属する技術分野】
本発明は、受信した画像データに画像処理を施して両面印刷自在なプリンタに向けて送信する画像処理装置、および情報処理装置にローディングされてその情報処理装置を上記画像処理装置として動作させるための画像処理プログラムに関する。
【０００２】
【従来の技術】
従来より、印刷業界ではパーソナルコンピュータ等を使って文書の編集や印刷を行なうＤＴＰ（Ｄｅｓｋ  Ｔｏｐ  Ｐｕｂｌｉｓｈｉｎｇ）システムが広く用いられている。このＤＴＰシステムでは、パーソナルコンピュータ等の編集用ワークステーション上で編集用ソフトウェア（編集用アプリケーション）を用いて、画像を表わす絵柄，テキスト，線画等のレイアウトを決める編集作業をページ記述言語（ＰＤＬ：Ｐａｇｅ  Ｄｅｓｃｒｉｐｔｉｏｎ  Ｌａｎｇｕａｇｅ）を使用して行ない、その結果をＰＳ（Ｐｏｓｔ  Ｓｃｒｉｐｔ）データやＰＤＦ（Ｐｏｒｔａｂｌｅ  Ｄｏｃｕｍｅｎｔ  Ｆｏｒｍａｔ）データ等で出力する。出力されたＰＳデータやＰＤＦデータ等は、いわゆるプリンタサーバであるＲＩＰ（Ｒａｓｔｅｒ  Ｉｍａｇｅ  Ｐｒｏｃｅｓｓｏｒ）に入力される。
【０００３】
ＲＩＰは、入力されたＰＳデータを印刷用のラスタイメージデータ（画像データ）に変換して画像処理装置に出力する。ここで、ＲＩＰは、画像処理装置に画像データを出力するにあたり、ページ単位で画像データを次々に出力する。
【０００４】
画像処理装置には、複数ページ分の画像データを格納する画像バッファが備えられている。画像処理装置は、ＲＩＰからページ単位で出力される画像データを上記画像バッファに順次格納し、格納した画像データをページ単位でプリンタに出力する。
【０００５】
プリンタは、画像処理装置からの画像データをページ単位で受け取って、例えばＡ４サイズの用紙に印刷するプリンタであり、必要な時に必要な情報を即座に印刷することができる、いわゆるオンデマンド印刷用プリンタが好適に用いられる。さらに詳細には、感光体上に形成された静電潜像をイエロー（Ｙ），マゼンタ（Ｍ），シアン（Ｃ），ブラック（Ｋ）の各色のトナーで現像して、その感光体上に各色のトナー像を形成し、その感光体から各色のトナー像を中間転写体ベルト上に転写し、加熱を含むプロセスにより用紙上に定着トナー像からなる画像を形成する電子写真方式のプリンタが好適に用いられる。
【０００６】
ここで、各色のカラーレジずれの補正にあたり、レーザスキャナ（ＲＯＳ）のスキャン方向の角度ずれ（スキューレジのずれ）に対する補正と、それ以外のレジずれに対する補正とを互いに独立して行なう技術が提案されている（例えば、特許文献１参照）。
【０００７】
また、画像データの、主走査方向や副走査方向に対する倍率変換を行なう倍率変換回路を備えた画像処理装置も提案されている（例えば、特許文献２参照）。
【０００８】
【特許文献１】
特開平０６−３５２８７号公報（段落番号００３９−段落番号０
０４６、第３図）
【特許文献２】
特開平９−１０７４６３号公報（段落番号００２０−段落番号０
０２２、第２図）
【０００９】
【発明が解決しようとする課題】
電子写真方式等を採用したプリンタでは、画像の印刷にあたり、印刷用紙が加熱されたり加圧されたりする。このようなプリンタで両面印刷を行なうと、印刷用紙の表面を印刷した時点で、その印刷用紙が熱や圧力等の物理的要因により変形をきたす場合があり、そのように変形をきたした状態で裏面が印刷される。このため、印刷用紙の表裏に同じ大きさの画像を印刷する場合、結果として印刷用紙の表裏に印刷された画像どうしの大きさが異なることとなる。さらに詳細には、印刷用紙の表面，裏面それぞれにおいても一様に変形せず、例えば表面，裏面の前半部分よりも後半部分の伸び率が大きくなってしまう場合がある。上述した特許文献１，２に提案された技術では、このような表裏における画像どうしのズレや、表裏それぞれにおける部分ごとの画像のズレを補正することは困難であり、従って高品質の印刷物を得ることは困難であるという問題がある。
【００１０】
本発明は、上記事情に鑑み、高品質の印刷物が得られる印刷用の画像データを生成する画像処理装置および画像処理プログラムを提供することを目的とする。
【００１１】
【課題を解決するための手段】
上記目的を達成する本発明の画像処理装置は、
画像データを受信する画像受信部と、
上記画像受信部で受信された画像データに画像処理を施す画像処理部と、
上記画像処理部で画像処理が施された後の画像データを両面印刷自在なプリンタに向けて送信する画像送信部とを備え、
上記画像処理部は、上記プリンタでの印刷に用いられる印刷用紙の両面に印刷した場合におけるその印刷用紙両面の画像の各点の倍率がその両面の画像相互に同一の倍率となるように、その印刷用紙の第１面および第２面のうちの少なくとも一方の面に印刷される予定の画像を表わす画像データにその画像上の各点の倍率を補正する倍率補正処理を施す倍率補正部を含むものであることを特徴とする。
【００１２】
電子写真方式等を採用したプリンタでは、画像の印刷にあたり、印刷用紙が加熱されたり加圧されたりする。このため、両面印刷を行なうにあたり、印刷用紙の表面を印刷した時点で、その印刷用紙が熱や圧力等の物理的要因により変形をきたす場合があり、そのように変形をきたした状態で裏面を印刷すると、印刷用紙の表裏に印刷された画像どうしの大きさが異なる。さらに詳細には、印刷用紙の表面，裏面それぞれにおいても一様に変形せず、例えば表面，裏面の前半部分よりも後半部分の伸び率が大きくなってしまう場合もある。
【００１３】
本発明の画像処理装置は、上記プリンタでの印刷に用いられる印刷用紙の両面に印刷した場合における印刷用紙両面の画像の各点の倍率が、両面の画像相互に同一の倍率となるように、印刷用紙の第１面および第２面のうちの少なくとも一方の面に印刷される予定の画像を表わす画像データに、その画像上の各点の倍率を補正するものである。このため、印刷用紙の第１面，第２面の各部分にわたって画像のズレが小さく抑えられた印刷用のデータを生成することができる。従って、電子写真方式等を採用したプリンタで印刷を行なう場合であっても高品質の印刷物を得ることができる。
【００１４】
ここで、上記倍率補正部は、画像上の座標と倍率との対応が記述されたルックアップテーブルを有し、画像上の各点の倍率を、そのルックアップテーブルを参照して求められる各倍率だけ補正するものであることが好ましい。
【００１５】
このようなルックアップテーブルを参照して補正すると、画像上の各点の倍率を簡単に且つ精度よく補正することができる。
【００１６】
また、上記ルックアップテーブルは、画像上の縦方向および横方向の二次元的な座標と、縦方向および横方向の二次元的な倍率との対応が記述された二次元ルックアップテーブルであって、上記倍率補正部は、画像上の、二次元的な各座標で表わされる各点の倍率を、そのルックアップテーブルを参照して求められる二次元的な各倍率だけ補正するものであることも好ましい態様である。
【００１７】
このような二次元ルックアップテーブルを参照して補正すると、プリンタの主走査方向および副走査方向における画像上の各点の倍率を補正することができるため、それら主走査方向や副走査方向に固有の倍率ローカルティを有する場合であっても、上記プリンタで適正な画像サイズの印刷物を得ることができる。
【００１８】
さらに、上記ルックアップテーブルは、画像上の縦方向の座標と横方向の倍率との対応が記述された第１の一次元ルックアップテーブルと、画像上の横方向の座標と縦方向の倍率との対応が記述された第２の一次元ルックアップテーブルとからなるものであって、上記倍率補正部は、画像上の縦方向の各座標の横方向の倍率を上記第１のルックアップテーブルを参照して求められる各倍率だけ補正するとともに、画像上の横方向の各座標の縦方向の倍率を上記第２のルックアップテーブルを参照して求められる各倍率だけ補正するものであってもよい。
【００１９】
このような第１，第２の一次元ルックアップテーブルを参照して補正すると、簡単な構成で済む。
【００２０】
また、上記倍率補正部は、上記画像上の各点の倍率を、上記ルックアップテーブルを参照して求められる各倍率が、上記プリンタでの印刷用として予定されている記録用紙の種類／材質に応じた補正係数で補正されてなる各倍率だけ補正するものであってもよい。さらに、上記ルックアップテーブルは、記録用紙の種類に応じたルックアップテーブルであり、上記倍率補正部は、上記画像上の各点の倍率を、上記プリンタでの印刷用として予定されている記録用紙の厚さ及び／又は材質に応じたルックアップテーブルを参照して求められる各倍率だけ補正するものであってもよい。
【００２１】
このようにすると、種類や材質が異なる各種の記録用紙の第１面，第２面の各部分にわたって画像のズレが小さく抑えられた印刷用のデータを生成することができる。
【００２２】
また、片面印刷と両面印刷との別を取得する印刷態様取得部を備え、上記倍率補正部は、上記印刷態様取得部において両面印刷であることが取得された場合に、上記倍率補正処理を施すものであってもよい。
【００２３】
このようにすると、両面印刷において、印刷用紙の表裏に同じ大きさの画像を印刷するにあたり、表裏の各部分にわたり画像の大きさを十分に一致させた印刷用の画像データを生成することができる。
【００２４】
また、上記目的を達成する本発明の画像処理プログラムは、プログラムを実行する情報処理装置内で実行され、該情報処理装置を、
画像データを受信する画像受信部と、
上記画像受信部で受信された画像データに画像処理を施す画像処理部と、
上記画像処理部で画像処理が施された後の画像データを両面印刷自在なプリンタに向けて送信する画像送信部とを備え、
上記画像処理部が、上記プリンタでの印刷に用いられる印刷用紙の両面に印刷した場合におけるその印刷用紙両面の画像の各点の倍率がその両面の画像相互に同一の倍率となるように、その印刷用紙の第１面および第２面のうちの少なくとも一方の面に印刷される予定の画像を表わす画像データにその画像上の各点の倍率を補正する倍率補正処理を施す倍率補正部を含むものである画像処理装置として動作させることを特徴とする。
【００２５】
本発明の画像処理プログラムは、プログラムを実行する情報処理装置内で実行され、その情報処理装置を、上記画像処理装置として動作させるものであるため、印刷用紙の第１面，第２面の各部分にわたって画像のズレが小さく抑えられた印刷用のデータを生成することができる。従って、電子写真方式等を採用したプリンタで印刷を行なう場合であっても高品質の印刷物を得ることができる。
【００２６】
【発明の実施の形態】
以下、本発明の実施形態について説明する。
【００２７】
図１は、本発明の画像処理装置の一実施形態が組み込まれたシステムを示す図である。
【００２８】
図１には、ＲＩＰ（Ｒａｓｔｅｒ  Ｉｍａｇｅ  Ｐｒｏｃｅｓｓｏｒ）１０と、本発明の画像処理装置の一実施形態である画像処理装置２０と、プリンタ３０とが示されている。
【００２９】
ＲＩＰ１０は、図示しないパーソナルコンピュータ等の編集用ワークステーションからのＰＳ（Ｐｏｓｔ  Ｓｃｒｉｐｔ）データを入力し、入力されたＰＳデータを印刷用のラスタイメージデータ（画像データ）に変換して画像処理装置２０に向けて送信する。
【００３０】
画像処理装置２０は、ＢＥＰ（Ｂａｃｋ  Ｅｎｄ  Ｐｒｏｃｅｓｓｏｒ）と呼ばれる通信ユニットＩ／Ｆ装置であり、この画像処理装置２０は、ＲＩＰ１０からの画像データを受信し、受信した画像データに対して後述するようにして倍率補正処理を施してプリンタ３０に向けて送信する。
【００３１】
プリンタ３０は、画像処理装置２０からの画像データを受信して所定の印刷用紙に両面自在に印刷する。このプリンタ３０は、必要な時に必要な情報を即座に印刷することができる、いわゆるオンデマンド印刷用プリンタである。さらに詳細には、このプリンタ３０は、感光体上に形成された静電潜像をイエロー（Ｙ），マゼンタ（Ｍ），シアン（Ｃ），ブラック（Ｋ）の各色のトナーで現像して、その感光体上に各色のトナー像を形成し、その感光体から各色のトナー像を中間転写体ベルトに転写し、加熱を含むプロセスにより用紙上に定着トナー像からなる画像を形成する電子写真方式のプリンタである。
【００３２】
図２は、図１に示す画像処理装置の構成を示す図、図３は、図２に示す画像処理装置を動作させるための画像処理プログラムの構成を示す図である。
【００３３】
先ず、図３に示す画像処理プログラム２７について説明する。この画像処理プログラム２７は、本発明にいう画像処理プログラムの一例に相当するものであり、この画像処理プログラム２７は、画像受信処理ルーチン部２７＿１、倍率補正処理ルーチン部２７＿２ａを含む画像処理ルーチン部２７＿２、および画像送信処理ルーチン部２７＿３で構成されている。尚、画像処理プログラム２７の各部の細部については、図２に示す画像処理装置２０の各部の作用とあわせて説明する。この画像処理プログラム２７が、画像処理装置２０の、図示しない記憶手段にアップロードされ実行されることにより、画像処理装置２０が動作する。
【００３４】
次に、図２に示す画像処理装置２０の構成について説明する。この画像処理装置２０には、ＣＰＵ２１と、通信インターフェース部２２と、画像バッファ２３と、バッファ制御部２４と、倍率補正部２５＿１および階調補正部２５＿２を有する画像処理部２５と、通信インターフェース部２６とが備えられている。
【００３５】
ＣＰＵ２１は、この画像処理装置２０全体を制御する。
【００３６】
通信インターフェース部２２は、本発明にいう画像受信部の一例に相当し、図３に示す画像受信処理ルーチン部２７＿１のプログラムの作用を受けて動作し、ＲＩＰ１０からの画像データおよび制御コマンドを、制御コマンド通信路および画像データ通信路を経由して受信する。
【００３７】
画像バッファ２３は、通信インターフェース部２２で受け取った画像データを格納しておくバッファである。
【００３８】
バッファ制御部２４は、通信インターフェース２２部からの画像データを、画像バッファ２３に格納するように制御する役割を担うものである。
【００３９】
画像処理部２５は、図３に示す画像処理ルーチン部２７＿２のプログラムの作用を受けて動作し、通信インターフェース部２２で受信された画像データに画像処理を施す。
【００４０】
画像処理部２５を構成する倍率補正部２５＿１は、図３に示す倍率補正処理ルーチン部２７＿２ａのプログラムの作用を受けて動作する。この倍率補正部２５＿１は、プリンタ３０での印刷に用いられる印刷用紙の両面に印刷した場合におけるその印刷用紙両面の画像の各点の倍率がその両面の画像相互に同一の倍率となるように、その印刷用紙の第１面および第２面のうちの少なくとも一方の面に印刷される予定の画像を表わす画像データにその画像上の各点の倍率を補正する倍率補正処理を施す。さらに詳細には、この倍率補正部２５＿１は、画像上の座標と倍率との対応が記述されたルックアップテーブルを有し、画像上の各点の倍率を、そのルックアップテーブルを参照して求められる各倍率だけ補正する。尚、このルックアップテーブルについては後述する。
【００４１】
また、画像処理部２５を構成する階調補正部２５＿２は、倍率補正部２５＿１で補正された画像データに対して濃淡を再現するための階調補正処理を行なう。
【００４２】
通信インターフェース部２６は、本発明にいう画像送信部の一例に相当し、図３に示す画像送信処理ルーチン部２７＿３のプログラムの作用を受けて動作する。この通信インターフェース部２６は、ＣＰＵ２１からの制御コマンドおよび階調補正部２５＿２からの画像データを、制御コマンド通信路および画像データ通信路を経由してプリンタ３０に送信する。
【００４３】
図４は、図２に示す画像処理装置において、ルックアップテーブルを参照して画像上の各点の倍率を補正する様子を示す図である。
【００４４】
本実施形態におけるプリンタ３０は、電子写真方式を採用したプリンタであり、画像の印刷にあたり、印刷用紙が加熱されたり加圧されたりする。このため、両面印刷を行なうにあたり、印刷用紙の表面を印刷した時点で、その印刷用紙が熱や圧力等の物理的要因により変形をきたす場合があり、そのように変形をきたした状態で裏面を印刷すると、印刷用紙の表裏に印刷された画像どうしの大きさが異なることとなる。さらに詳細には、印刷用紙の表面，裏面それぞれにおいても一様に変形せず、例えば表面，裏面の前半部分よりも後半部分の伸び率が大きくなってしまう場合もある。そこで、本実施形態の画像処理装置２０では、以下に説明するようにして、印刷用紙の表裏の各部分にわたって画像のズレが小さく抑えられてなる印刷用のデータを生成する。
【００４５】
図４に示す主走査倍率補正ＬＵＴ（ルックアップテーブル）および副走査倍率補正ＬＵＴは、画像上の横方向（プリンタ３０の主走査方向）および縦方向（プリンタ３０の副走査方向）の二次元的な座標と、それら主走査方向および横走査方向の二次元的な倍率との対応が記述された二次元ルックアップテーブルである。具体的には、上記二次元的な座標は、主走査方向にＮ（画素），副走査方向にＭ（ライン）とするＮ（画素）×Ｍ（ライン）からなる座標である。尚、図４には、主走査倍率補正ＬＵＴの、Ｋライン目における各画素の倍率が例示されている。また、副走査倍率補正ＬＵＴの、Ｋ画素目における各ラインの倍率も例示されている。倍率補正部２５＿１は、入力された画像データを、ＣＰＵ２１で読み出された主走査倍率補正ＬＵＴの倍率だけ変換する主走査倍率変換処理を行なうことにより、その画像データを補正する。さらに、この補正された画像データを、ＣＰＵ２１で読み出された副走査倍率補正ＬＵＴの倍率だけ変換する副走査倍率変換処理を行なうことにより、最終的に画像データを補正してプリンタ３０に向けて送信する。
【００４６】
上記主走査倍率補正ＬＵＴによる補正は、画像上の、副走査方向の場所に応じて主走査の倍率ズレが変化する場合に有効であり、また上記副走査倍率補正ＬＵＴによる補正は、画像上の、主走査方向の場所に応じて副走査の倍率ズレが変化する場合に有効である。尚、副走査方向に依存した主走査倍率変化が小さい場合、あるいは主走査方向に依存した副走査倍率変化が小さい場合は、以下のようなルックアップテーブルを用いて、画像データを補正してもよい。
【００４７】
このルックアップテーブルは、画像上の副走査方向の座標と主走査方向の倍率との対応が記述された第１の一次元ルックアップテーブルと、画像上の主走査方向の座標と副走査方向の倍率との対応が記述された第２の一次元ルックアップテーブルとからなるものである。倍率補正部２５＿１は、画像上の副走査方向の各座標の主走査方向の倍率を第１のルックアップテーブルを参照して求められる各倍率だけ補正するとともに、画像上の主走査方向の各座標の副走査方向の倍率を第２のルックアップテーブルを参照して求められる各倍率だけ補正する。
【００４８】
また、倍率補正部２５＿１は、画像上の各点の倍率を、上記ルックアップテーブルを参照して求められる各倍率が、プリンタ３０での印刷用として予定されている記録用紙の種類／材質に応じた補正係数で補正されてなる各倍率だけ補正するものであってもよい。さらに、ルックアップテーブルは、記録用紙の種類に応じたルックアップテーブルであり、倍率補正部２５＿１は、画像上の各点の倍率を、プリンタ３０での印刷用として予定されている記録用紙の厚さ及び／又は材質に応じたルックアップテーブルを参照して求められる各倍率だけ補正するものであってもよい。
【００４９】
図５は、記録用紙の種類に応じたルックアップテーブルを生成する様子を示す図である。
【００５０】
図５の左側には、通常の基本的なルックアップテーブルである基本倍率補正ＬＵＴが示されている。この基本倍率補正ＬＵＴは、走査位置に応じた倍率計数を有する。この基本倍率補正ＬＵＴの倍率計数にメディア補正係数［ＫＭ］をかけ算して、記録用紙の種類に応じたルックアップテーブルである記録時倍率補正ＬＵＴを生成する。ここで、メディア補正係数［ＫＭ］は、記録用紙（メディア）の種類（厚さや材質等）により求められる値である。このようなメディア補正係数［ＫＭ］を用いて記録時倍率補正ＬＵＴを生成して主走査方向や副走査方向における倍率補正を行なうと、種類が異なる各種の記録用紙の表裏の各部分にわたって画像のズレが小さく抑えられた印刷用のデータを生成することができる。
【００５１】
また、片面印刷と両面印刷との別を取得する印刷態様取得部を備え、上記倍率補正部２５＿１が、その印刷態様取得部において両面印刷であることが取得された場合に、倍率補正処理を施すものであってもよい。このように両面印刷において、印刷用紙の表裏に同じ大きさの画像を印刷するにあたり、表裏の各部分にわたり画像の大きさを十分に一致させた印刷用の画像データを生成してもよい。
【００５２】
【発明の効果】
以上説明したように、本発明によれば、高品質の印刷物が得られる印刷用の画像データを生成する画像処理装置および画像処理プログラムを提供することができる。
【図面の簡単な説明】
【図１】本発明の画像処理装置の一実施形態が組み込まれたシステムを示す図である。
【図２】図１に示す画像処理装置の構成を示す図である。
【図３】図２に示す画像処理装置を動作させるための画像処理プログラムの構成を示す図である。
【図４】図２に示す画像処理装置において、ルックアップテーブルを参照して画像上の各点の倍率を補正する様子を示す図である。
【図５】記録用紙の種類に応じたルックアップテーブルを生成する様子を示す図である。
【符号の説明】
１０  ＲＩＰ
２０  画像処理装置
２１  ＣＰＵ
２２，２６  通信インターフェース部
２３  画像バッファ
２４  バッファ制御部
２５  画像処理部
２５＿１  倍率補正部
２５＿２  階調補正部
２７  画像処理プログラム
２７＿１  画像受信処理ルーチン部
２７＿２  画像処理ルーチン部
２７＿２ａ  倍率補正処理ルーチン部
２７＿３  画像送信処理ルーチン部
３０  プリンタ
【図１】
2004192414.tif 000003
【図２】
2004192414.tif 000004
【図３】
2004192414.tif 000005
【図４】
2004192414.tif 000006
【図５】
2004192414.tif 000007